【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
トナーの受入口と、閉塞力付与部と、を有する受入装置に着脱可能なトナーカートリッジにおいて、
（１）容器であって、（１−１）トナーを収容するための収容部と、（１−２）前記収容部からトナーを排出する為の排出口と、を有する容器と、
（２）開閉部材であって、（２−１）前記排出口を閉じるための閉じ部と、（２−２）閉塞力受部と、を有し、前記閉じ部に前記排出口を閉じさせる閉位置と、前記閉じ部に前記排出口を開かせる開位置と、の間で前記容器の周囲を回転するように構成された開閉部材と、
を有し、
前記開閉部材は、前記排出口を閉じる際に移動する閉じ方向において、その下流にある先端部と、その上流にある後端部と、を有し、
前記トナーカートリッジを前記容器の前記長手方向に沿って見た際に、前記開閉部材の前記先端部から前記閉速力受け部までの部分が、前記容器の周囲２３０°以上２７０°以下の範囲に配置されており、
前記トナーカートリッジが前記受入装置から取り外される際に、前記閉塞力受部は前記閉塞力付与部から、前記開閉部材を前記開位置から前記閉位置へ移動させるための力を受けるように構成されているトナーカートリッジ。
【請求項２】
前記トナーカートリッジは、少なくとも回転動作を伴って前記受入装置から取り外されるものであって、
前記トナーカートリッジの前記回転動作に伴って、前記閉塞力受部は前記閉塞力付与部から前記力を受ける請求項１に記載のトナーカートリッジ。
【請求項３】
前記閉塞力受部は、前記開閉部材の前記後端部の近傍に設けられる請求項１または２に記載のトナーカートリッジ。
【請求項４】
前記開閉部材は、前記閉じ方向において前記閉じ部から上流に向かって延びる延在部を有し、
前記開閉部材の前記後端部は前記延在部に設けられる請求項１乃至３のいずれか１項に記載のトナーカートリッジ。
【請求項５】
前記閉塞力受部は、前記延在部に設けられる請求項４に記載のトナーカートリッジ。
【請求項６】
前記開閉部材は前記延在部を複数有し、前記複数の延在部の各々に前記閉塞力受部が設けられる請求項４または５に記載のトナーカートリッジ。
【請求項７】
前記閉塞力受部は、前記容器から遠ざかる方向に突出した突起を有する請求項１乃至６のいずれか１項に記載のトナーカートリッジ。
【請求項８】
前記トナーカートリッジは更に開放力受部を有し、
前記トナーカートリッジが前記受入装置に装着される際に、前記開放力受部は前記受入装置に設けられた開放力付与部から、前記開閉部材を前記閉位置から前記開位置に移動させるための力を受ける請求項１乃至７のいずれか１項に記載のトナーカートリッジ。
【請求項９】
前記開放力受部は、前記開閉部材の前記先端部の近傍に設けられる請求項８に記載のトナーカートリッジ。
【請求項１０】
前記開放力受部および前記閉塞力受部は、前記開閉部材の前記後端部の近傍に設けられる請求項８に記載のトナーカートリッジ。
【請求項１１】
前記開放力受部は、前記閉塞力受部の近傍に設けられる請求項８乃至１０のいずれか１項に記載のトナーカートリッジ。
【請求項１２】
前記開放力受部は、前記容器から遠ざかる方向に突出した突起を有する請求項８乃至１１のいずれか１項に記載のトナーカートリッジ。
【請求項１３】
前記容器は実質的な円筒形状を備え、前記前記開閉部材は、前記容器の円筒形状の外周面に沿って回転するように構成されている請求項１乃至１２のいずれか１項に記載のトナーカートリッジ。
【請求項１４】
前記容器は、
互いに前記容器の長手方向に沿って並んでいる２つの突起であって、前記トナーカートリッジが前記受入装置から抜去される抜去方向の上流側に向かって突出している２つの突起を有する請求項１乃至１３のいずれか１項に記載のトナーカートリッジ。
【請求項１５】
前記開閉部材が前記開位置から前記閉位置に移動する際、前記先端部は前記二つの突起に近づく請求項１４に記載のトナーカートリッジ。
【請求項１６】
前記受入装置は、前記受入口を開閉するための受入装置側開閉部材と、前記受入口を覆う位置に前記受入装置側開閉部材をロックするためのロック部と、を有するものであって、
前記２つの突起は、前記ロック部のロックを解除するように構成されている請求項１４または１５に記載のトナーカートリッジ。
【請求項１７】
前記容器の長手方向に延びる仮想線に前記２つの突起と前記排出口とを投影すると、前記排出口の投影領域の少なくとも一部が前記２つの突起の投影領域の間に挟まれる請求項１４乃至１６のいずれか１項に記載のトナーカートリッジ。
【請求項１８】
前記容器の長手方向に延びる仮想線に前記２つの突起と前記排出口とを投影すると、前記排出口の投影領域の全部が前記２つの突起の投影領域の間に挟まれる請求項１４乃至１６のいずれか１項に記載のトナーカートリッジ。
【請求項１９】
前記トナーカートリッジは、前記受入装置から駆動力が入力される駆動入力ギアを有する請求項１乃至１８のいずれか１項に記載のトナーカートリッジ。
【請求項２０】
前記開閉部材が前記閉位置から前記開位置に移動することで、前記閉塞力受部が前記駆動入力ギアの軸線に近づく請求項１乃至１９のいずれか１項に記載のトナーカートリッジ。
【請求項２１】
前記トナーカートリッジは、前記駆動入力ギアが受けた前記駆動力によって前記排出口に向けてトナーを搬送する搬送部材を有する請求項２０に記載のトナーカートリッジ。
【請求項２２】
前記トナーカートリッジは、前記駆動入力ギアから前記搬送部材に向けて前記駆動力を伝達する伝達ギアを有する請求項２１に記載のトナーカートリッジ。
【請求項２３】
前記トナーカートリッジを前記容器の前記長手方向に沿って見た際に、前記開閉部材は前記先端部から前記後端部にかけて前記容器の周囲２３０°以上かつ２７０°以下の範囲に配置されている請求項１乃至２２のいずれか１項に記載のトナーカートリッジ。
【請求項２４】
前記受入装置と、
請求項１乃至２３のいずれか１項に記載のトナーカートリッジと、
を有するトナー供給機構。
【手続補正２】
【補正対象書類名】明細書
【補正対象項目名】０００８
【補正方法】変更
【補正の内容】
【０００８】
本出願に係る代表的な構成は、
トナーの受入口と、閉塞力付与部と、を有する受入装置に着脱可能なトナーカートリッジにおいて、
（１）容器であって、（１−１）トナーを収容するための収容部と、（１−２）前記収容部からトナーを排出する為の排出口と、を有する容器と、
（２）開閉部材であって、（２−１）前記排出口を閉じるための閉じ部と、（２−２）閉塞力受部と、を有し、前記閉じ部に前記排出口を閉じさせる閉位置と、前記閉じ部に前記排出口を開かせる開位置と、の間で前記容器の周囲を回転するように構成された開閉部材と、
を有し、
前記開閉部材は、前記排出口を閉じる際に移動する閉じ方向において、その下流にある先端部と、その上流にある後端部と、を有し、
前記トナーカートリッジを前記容器の前記長手方向に沿って見た際に、前記開閉部材の前記先端部から前記閉速力受け部までの部分が、前記容器の周囲２３０°以上２７０°以下の範囲に配置されており、
前記トナーカートリッジが前記受入装置から取り外される際に、前記閉塞力受部は前記閉塞力付与部から、前記開閉部材を前記開位置から前記閉位置へ移動させるための力を受けるように構成されているトナーカートリッジである。